(57)【要約】【課題】電池とバスバーを接続する接続線に設けられたヒューズが溶断した後、導電性異物の付着による再導通を防止する。【解決手段】電池１２と正極バスバー２４は正極接続線２６により接続される。正極接続線２６は、一部がヒューズであり、このヒューズ部分が熱可塑性絶縁材料からなる被覆４８で覆われている。正極接続線２６に過大な電流が流れると発熱し、ヒューズ部分が溶断し、また被覆４８が溶けて正極接続線２６の溶断した端部を覆う。冷えてこの被覆が再固化することにより、正極接続線２６の溶断端部を覆う被覆５０となる。被覆５０により、正極接続線２６の再導通が防止される。【選択図】図４
2017084606.tif 000002
【特許請求の範囲】
【請求項１】
複数の電池を電気的に接続するためのバスバーと、バスバーと各電池の極とを電気的に接続し、一部がヒューズである接続線と、を含み、接続線のヒューズ部分が熱可塑性絶縁材料からなる被覆で覆われている、電池接続構造。
【発明の詳細な説明】
【技術分野】
【０００１】
本発明は、複数の電池を接続する電池接続構造に関し、特にヒューズの構造に関する。
【背景技術】
【０００２】
複数の電池を電気的に接続した組電池が知られている。下記特許文献１には、複数のリチウムイオン電池セル（１４０）からなりケーシング（１１０）の内部に収納された組電池（１２０）が開示されている（段落００７０参照）。複数のリチウムイオン電池セル（１４０）は、バスバーによって電気的に接続されている。なお、（  ）内の符号は、下記特許文献１で用いられた符号であり、本願の実施形態の説明で用いられる符号とは関連しない。
【先行技術文献】
【特許文献】
【０００３】
【特許文献１】特開２０１０−１１３９９９号公報
【発明の概要】
【発明が解決しようとする課題】
【０００４】
複数の電池から構成される組電池においては、一部の故障した電池を他の電池から電気的に切断するためにヒューズを設けることができる。ヒューズが溶断した後、溶断部分に導電性の異物が付着することにより、ヒューズ部分が再導通する場合がある。
【０００５】
本発明は、溶断後のヒューズ部分の再導通を抑えることを目的とする。
【課題を解決するための手段】
【０００６】
本発明の電池接続構造は、複数の電池を電気的に接続するためのバスバーと、バスバーと各電池の極とを電気的に接続し、一部がヒューズである接続線と、を含み、接続線のヒューズ部分が熱可塑性絶縁材料からなる被覆で覆われている。
【発明の効果】
【０００７】
ヒューズが溶断したとき、被覆が溶けて溶断部分を覆い、この状態で溶けた被覆が再度固化する。これにより、ヒューズ部分の再導通が抑制される。
【図面の簡単な説明】
【０００８】
【図１】電池パックの分解斜視図である。
【図２】電池パックのＡ−Ａ線断面図である。
【図３】正極接続線およびその周囲の詳細図である。
【図４】正極接続線の溶断前後を示す図である。
【発明を実施するための形態】
【０００９】
以下、本発明の実施形態を図面に従って説明する。図１，２は本実施形態の要部構成を示す図であり、図１は分解斜視図、図２は図１中のＡ−Ａ線による断面図である。以下の説明において、上下左右、側方、手前、奥などの方向を表す語句は、特段の断りがない限り、説明に用いている図における方向を示し、電池パック１０が実際に設置される方向とは関連しない。
【００１０】
電池パック１０は、複数の電池１２を収容する。複数の電池１２は、所定の電気的接続がなされて、組電池を形成している。電池１２の形状は略円柱状であり、円柱の一端に正極が、また他端に負極が設けられている。この電池パック１０においては、電池１２は、正極のある端を上にして配置されている。各電池１２は、その下端部が電池ホルダ１４に設けられた収容孔１６に収容されて、電池ホルダ１４に保持される。電池ホルダ１４は略板形状であり、板平面に収容孔１６が二次元的に配置されている。この実施形態では、収容孔１６は、図１において右手前から左奥に向けて延びる列が４列配置され、隣の列の収容孔１６同士は、半ピッチずれて配置されている。各収容孔１６は、電池１２の円柱形状と嵌まり合う円筒形状であり、この円筒内に電池１２が挿入され、電池ホルダ１４に保持される。収容孔１６の円筒中心軸線方向の長さは、保持した電池１２がぐらつかないよう十分な長さとなっている。収容孔１６は、電池ホルダ１４を、その板厚方向において貫通しており、電池１２の下端は下方に露出している。
【００１１】
電池ホルダ１４に保持され二次元的に配列された電池１２全体の側方および上方を囲うように保持ケース１８が設けられている。保持ケース１８は、その下端が電池ホルダ１４の上面に当接した状態で、電池ホルダ１４に固定されている。保持ケース１８は、その上端近傍に天井板２０を有する。天井板２０には、配列された各電池１２にそれぞれ対応する保持開口２２が設けられている。保持開口２２は、図２に示すように周縁に段が形成されており、段の部分が各電池１２の上端の周縁に係合して、各電池１２をその上端にて保持する。
【００１２】
天井板２０の更に上方に正極バスバー２４が配置されている。正極バスバー２４は、正極接続線２６を介して各電池１２の正極に電気的に接続している。正極バスバー２４は、４枚設けられている。電池ホルダ１４の下方には、負極バスバーモジュール２８が配置されている。負極バスバーモジュール２８は、４枚の負極バスバー３０を樹脂モールド成形により一体にしたものである。負極バスバー３０は、負極接続線３２を介して各電池１２の負極に電気的に接続している。さらに、正極バスバー２４の３枚と負極バスバー３０の３枚を電気的に接続する群間バスバー３４が保持ケース１８の側面に沿って斜め下方に延びている。各バスバーおよび電池の電気的な接続関係は後に詳述する。
【００１３】
天井板２０および正極バスバー２４の上方全体は上方カバー３６に覆われ、また保持ケース１８の群間バスバー３４が設けられた側面および群間バスバー３４は側方カバー３８によって覆われている。図１において、上方カバー３６および側方カバー３８は省略されている。電池ホルダ１４の下方には排気室カバー４０が配置され、電池ホルダ１４と排気室カバー４０によって負極バスバーモジュール２８が挟持されている。電池ホルダ１４と排気室カバー４０の間に排気室４２が形成される。
【００１４】
複数の電池１２は、電池パック１０の長手方向に関して４つの群に分かれており、これらの群に４枚の正極バスバー２４および４枚の負極バスバー３０が対応している。図１において、４つの群について、右手前の群を第１電池群、第１電池群から左奥に順に第２電池群、第３電池群、第４電池群と記す。第１電池群に対応する正極バスバーおよび負極バスバーを第１正極バスバー２４-1および第１負極バスバー３０-1と記し、第２電池群以降の電池群に対応する正極および負極バスバーについても電池群と同じ序数（第２，第３，第４）を記して説明する。
【００１５】
第１電池群に属する電池１２は、第１正極バスバー２４-1および第１負極バスバー３０-1により並列接続されている。第２電池群以降の電池群に関しても、その電池群に属する電池は、対応する正極および負極バスバーによって並列接続されている。第１正極バスバー２４-1と第２負極バスバー３０-2が第１群間バスバー３４-1により電気的に接続される。第１群間バスバー３４-1は、第１正極バスバー２４-1と一体に形成されており、その反対側の端において第２負極バスバー３０-2の端子３０ａ-2に電気的に接続されている。これにより、第１電池群と第２電池群が直列接続される。第２正極バスバー２４-2と一体の第２群間バスバー３４-2が第３負極バスバーの端子３０ａ-3に接続され、第２電池群と第３電池群が直列接続される。第３電池群と第４電池群についても同様に第３群間バスバー３４-3により直列接続される。第４正極バスバー２４-４には、電池パック１０と外部機器とを接続するための外部接続端子（不図示）が接続されている。第１負極バスバー３０-1の端子３０ａ-1には、もう１つの外部接続端子（不図示）に接続されるバスバー（不図示）が接続されている。以上のように複数の電池は、電気的に並列接続された電池により電池群を形成し、そして各電池群は電気的に直列接続されている。
【００１６】
図３は、正極バスバー２４と正極接続線２６の詳細を示す図である。正極バスバー２４には、電池１２および保持開口２２に対応して開口４４が形成されており、開口４４の縁から内側に向けて正極接続線２６が延びている。正極接続線２６は２度屈曲し、先端に電池の正極に接触する接点４６が形成されている。正極接続線２６の一部は、ヒューズとなっており、当該正極接続線２６が接続している電池１２に過大な電流が流れると、ヒューズ部分が溶断する。正極接続線２６のヒューズとなっている部分は、熱可塑性絶縁材料からなる被覆４８で覆われている。
【００１７】
図４は被覆４８の機能を説明する図である。（ａ）には、ヒューズ溶断前の正極接続線２６が模式的に示され、（ｂ）には溶断後の正極接続線２６が模式的に示されている。電池１２に過大な電流が流れると、正極接続線２６のヒューズ部分は発熱し、自身の熱で溶けて断線する。また、このときの熱で被覆４８も溶ける。溶けた被覆４８は、流れて溶断した正極接続線２６の先端を覆うようになる。ヒューズ部分が溶断すると電流は流れなくなるので、溶けた被覆４８は冷えて固化する。（ｂ）に示すように、再固化した被覆５０は、溶断した正極接続線２６の両方の端に被さるよう形成される。これにより、正極接続線２６の断線した部分に導電性の異物が付着しても、この部分は被覆５０により覆われているため、正極接続線２６の再導通が防止される。
【符号の説明】
【００１８】
１０  電池パック、１２  電池、１４  電池ホルダ、１６  収容孔、１８  保持ケース、２０  天井板、２２  保持開口、２４  正極バスバー、２６  正極接続線、２８  負極バスバーモジュール、３０  負極バスバー、３０ａ  端子、３２  負極接続線、３４  群間バスバー、３６  上方カバー、３８  側方カバー、４０  排気室カバー、４２  排気室、４４  開口、４６  接点、４８  被覆、５０  再固化した被覆。
【図１】
2017084606.tif 000003
【図２】
2017084606.tif 000004
【図３】
2017084606.tif 000005
【図４】
2017084606.tif 000006